(57)【特許請求の範囲】
【請求項１】
その下端部から所定寸法だけ離間した位置に厚さ方向に貫通する空気流通孔が形成された野地板と、
上記野地板上に配置される平板状の屋根部材と、
上記野地板の軒先側で、かつ、上面側にその上端部を重ねて配置され、その下端部が上記野地板の下端部から突出する突出部を形成し、上記屋根部材から滴下する雨水を上記野地板の軒先側に案内する水切り部材と、
板状に形成され、上記野地板と上記屋根部材の間に位置し、その上端部が上記野地板の上面側であって上記空気流通孔の上側に固定され、その下端部が上記突出部の上方に位置すると共に、上記下端部が上記水切り部材側に近接するまで折曲され、上記下端部から上記空気流通孔まで空気を案内する案内空間を形成するための山部を有する通気部材とを備え、
上記水切り部材には、上記野地板の下端部に位置する部分と上記通気部材の下端部が位置する部分との間に通気孔が設けられていることを特徴とする軒先構造。
【請求項２】
上記水切り部材は、この上下方向の延長線上に、上記通気部材の下端部が位置する部分から突出する雨水案内部を備えていることを特徴とする請求項１に記載の軒先構造。
【請求項３】
上記水切り部材は、この上下方向の延長線上に、上記通気部材の下端部が位置する部分から突出する雨水案内部を備え、
上記雨水案内部には排水孔が設けられていることを特徴とする請求項１に記載の軒先構造。
【請求項４】
上記水切り部材は、この上下方向の延長線上に、上記通気部材の下端部が位置する部分から突出する雨水案内部と、
上記雨水案内部の下端部に位置し、上記野地板上面の上下方向の延長線上に設けられた緩衝板部とを備え、
上記雨水案内部には排水孔が設けられていることを特徴とする請求項１に記載の軒先構造。
【請求項５】
上記水切り部材と上記野地板との間には、上記水切り部材を支持するとともに、上記水切り部材の位置決めを行う水切り部材支持部材が水平方向に沿って間欠的に配置されていることを特徴とする請求項１に記載の軒先構造。
【請求項６】
上記通気部材と上記野地板との間には防水シートが配置され、
上記防水シートの下端部は、上記通気部材と上記水切り部材との間に配置され、
上記空気流通孔に対応する位置に通気孔を有することを特徴とする請求項１に記載の軒先構造。
【請求項７】
上記案内空間には、上記通気部材を下面側から支持し、上記水切り部材の通気孔から上記空気流通孔へ空気を案内する通気孔を有する通気部材支持部材を有することを特徴とする請求項１に記載の軒先構造。
【発明の詳細な説明】
【技術分野】
【０００１】
本発明は、平板状の屋根部材と水切り部材を用いた軒先構造に関し、特に雨水を軒先に案内できるとともに、雨水の野地板への流入を防ぎ、かつ、軒先から屋内へ空気が流れる換気性を有するものに関する。
【背景技術】
【０００２】
家屋の野地板上に設置する屋根部材として、平板状のコロニアルやシングル、金属屋根等を用いた家屋の屋根構造が提案されている。このような屋根部材は低コストであるとともに、防水性及び耐久性を兼ね備えている。
【０００３】
また、野地板に雨水が滴下することを防ぐため、水切り部材が設置され、この水切り部材で受けた雨水を軒先から排出する軒先構造が知られている（例えば、特許文献１参照。）。
【先行技術文献】
【特許文献】
【０００４】
【特許文献１】特開２００９−２５７０１９号公報（段落番号［０００２］〜［０００３］）
【発明の概要】
【発明が解決しようとする課題】
【０００５】
上述した軒先構造では、次のような問題があった。すなわち、平板状の屋根部材では野地板と屋根部材との間に空間を確保することができず、屋外から屋内への十分な通気性を有しない問題があった。
【０００６】
そこで本発明は、雨水の野地板側への浸入を防ぎ、かつ、屋外から屋内へ通気可能な軒先構造を提供することを目的としている。
【課題を解決するための手段】
【０００７】
前記課題を解決し目的を達成するために、本発明の軒先構造は次のように構成されている。その下端部から所定寸法だけ離間した位置に厚さ方向に貫通する空気流通孔が形成された野地板と、上記野地板上に配置される平板状の屋根部材と、上記野地板の軒先側で、かつ、上面側にその上端部を重ねて配置され、その下端部が上記野地板の下端部から突出する突出部を形成し、上記屋根部材から滴下する雨水を上記野地板の軒先側に案内する水切り部材と、板状に形成され、上記野地板と上記屋根部材の間に位置し、その上端部が上記野地板の上面側であって上記空気流通孔の上側に固定され、その下端部が上記突出部の上方に位置すると共に、上記下端部が上記水切り部材側に近接するまで折曲され、上記下端部から上記空気流通孔まで空気を案内する案内空間を形成するための山部を有する通気部材とを備え、上記水切り部材には、上記野地板の下端部に位置する部分と上記通気部材の下端部が位置する部分との間に通気孔が設けられていることを特徴とする。
【発明の効果】
【０００８】
本発明によれば、平板状で野地板との間に空間のない屋根部材を用いた場合であっても、雨水の野地板上への浸入を防ぎ、かつ、軒先部野地板上から屋内への換気をさせることができる。これにより、狭小地などの軒の出のない住宅においても軒先の換気を行うことができる。また、屋根葺き替え時においても、軒天などの工事をすることなく、屋根工事だけで軒先の換気を実現できる。
【図面の簡単な説明】
【０００９】
【図１】本発明の第１の実施の形態に係る軒先構造を一部破断して示す斜視図。
【図２】同軒先構造を示す断面図。
【図３】同軒先構造の要部を拡大して示す縦断面図。
【図４】本発明の第２の実施の形態に係る軒先構造の要部を拡大して示す縦断面図。
【図５】本発明の第３の実施の形態に係る軒先構造を一部破断して示す斜視図。
【図６】同軒先構造の要部を拡大して示す縦断面図。
【図７】本発明の第４の実施の形態に係る軒先構造の要部を拡大して示す縦断面図。
【図８】本発明の第５の実施の形態に係る軒先構造を示す断面図。
【発明を実施するための形態】
【００１０】
図１は本発明の第１の実施の形態に係る軒先構造１００を一部破断して示す斜視図、図２は同軒先構造１００を示す断面図、図３は同軒先構造１００の要部を拡大して示す断面図である。なお、図１中６１０は軒樋、Ｎは屋内を示し、図２中６２０は水切り部材支持部材、６３０は屋根部材、Ｆは空気の流通経路、Ａは案内空間を示している。なお、図１において屋根部材６３０は省略している。
【００１１】
軒先構造１００は、野地板１１０と、野地板１１０の軒先側の上面に配置された水切り部材１２０と、その上端を野地板１１０に固定され、後述する通気孔１２３から後述する空気流通孔１１５へ空気を案内する案内空間Ａを形成すると共に最下段の屋根部材を支持する通気部材１３０と、案内空間Ａに配置され、通気部材１３０を下面側から支持する通気部材支持部材１４０を備えている。
【００１２】
野地板１１０は、この下端部１１１から所定寸法（屋根部材６３０一枚のほぼ半分）だけ離間した位置に形成された、屋内Ｎに貫通する複数の空気流通孔１１５を有する。
【００１３】
水切り部材１２０は金属製の板材を折曲して形成され、野地板１１０の軒先側の上面に沿って配置される本体部１２１と、この本体部１２１の下端側に形成され、野地板１１０の下端部１１１から突出した通気孔形成部１２２とを備え、水切り部材支持部材６２０を介して野地板１１０に固定されている。本体部１２１は野地板１１０の軒先側の上面に沿って配置されている。通気孔形成部１２２は、空気を案内空間Ａに案内するスリット状の通気孔１２３を備える。
【００１４】
通気部材１３０は金属製の板材を折曲して形成され、野地板１１０に固定する固定部１３１と、折曲されて野地板１１０の上面から離間する山部１３２と、山部１３２の下端部１３２ａが野地板１１０側に直角に折曲された防雨部１３３とを備えている。固定部１３１は空気流通孔１１５の上側に固定釘Ｋａが貫通して固定されている。山部１３２は野地板１１０から離間して案内空間Ａを形成しつつ、屋根部材６３０を下面側から支持している。防雨部１３３は、その下端部が水切り部材１２０の下端部に位置している。降雨時、吹き込む雨を防雨部１３３が受け止めることで、野地板１１０側に雨水が流入することを防ぐ機能を有する。
【００１５】
通気部材支持部材１４０は案内空間Ａに位置し、金属製で、相互に平行な上板１４１と下板１４２と、上板１４１と下板１４２の間に垂直に固定されている、相互に平行な複数の仕切板１４３とを備える構造を有する。流路１４４は、上板１４１と、下板１４２と、仕切板１４３とで囲まれた空間により形成されている。通気部材支持部材１４０は通気部材１３０から野地板１１０上面に貫通する固定釘Ｋｂにより固定されている。また、流路１４４、水切り部材１２０の通気孔１２３から空気流通孔１１５へ空気を案内する通気孔１４４ａ及び１４４ｂを有する。これにより、通気部材支持部材１４０は通気部材１３０が屋根部材６３０や積雪等により撓むのを防ぎつつ、水切り部材１２０の通気孔１２３から空気流通孔１１５へ空気を案内することが可能である。
【００１６】
このように構成された軒先構造１００では、次のように雨水の排水、及び、換気を行う。すなわち、降雨があると、雨水は屋根部材６３０上を軒樋６１０に案内され、排水が行われる。また、野地板１１０側へ吹きつける降雨は、防雨部１３３に当たり、軒樋６１０に案内される。したがって、野地板１１０上に雨水が滴下することはない。
【００１７】
一方、風Ｆは水切り部材１２０の下部を通り、通気孔１２３から野地板１１０上に案内される。その後、通気部材１３０下の通気部材支持部材１４０に形成された流路１４４を通り、空気流通孔１１５を通過し、屋内Ｎへ案内されて通気を行う。
【００１８】
なお、水切り部材１２０の通気孔１２３から雨水が入り込むには下から上へ強く吹き上げる条件が必要であり、通気孔１２３から野地板１１０側へ雨水が浸入することは防止できる。
【００１９】
本実施の形態に係る軒先構造１００によれば、通気孔１２３を有する水切り部材１２０と、通気部材１３０とを用いることで野地板１１０側への雨水の浸入を防止しつつ、屋外から屋内Ｎへの換気を可能としている。また、通気部材支持部材１４０を用いることで、屋根部材６３０等により通気部材１３０が撓むのを防止しつつ、空気の流路を維持することができる。
【００２０】
図４は本発明の第２の実施の形態に係る軒先構造２００の要部を拡大して示す断面図である。なお、図４において、図３と同一機能部分には同一記号を付し、詳細な説明は省略する。
【００２１】
図４に示すように、本実施の形態では、図１乃至図３の軒先構造１００における水切り部材１２０に代わり、水切り部材２２０を用いている。水切り部材２２０は金属製の板材を折曲して形成され、野地板１１０の軒先側の上面に沿って配置される本体部２２１と、この本体部２２１の下端側に形成され、野地板１１０の下端部１１１から突出した通気孔形成部２２２と、通気孔形成部２２２の上下方向の延長線上に、通気部材１３０の下端が位置する部分から突出して形成される水切り部（雨水案内部）２２４とを備え、水切り部材支持部材６２０を介して野地板１１０に固定されている。本体部２２１は野地板１１０の軒先側の上面に沿って配置されている。通気孔形成部２２２は、空気を案内空間Ａに案内するスリット状の通気孔２２３を備える。
【００２２】
このように構成された軒先構造２００では、次のように雨水の排水、及び、換気を行う。すなわち、降雨があると、雨水は屋根部材６３０上を水切り部２２４へ案内され、軒樋６１０に流れ落ち、排水が行われる。また、野地板１１０側へ吹きつける降雨は、防雨部１３３及び水切り部２２４に当たり、軒樋６１０に案内される。したがって、野地板１１０上に雨水が滴下することはない。
【００２３】
一方、風Ｆは水切り部２２４の下部を通り、通気孔２２３から野地板１１０上に案内される。その後、通気部材１３０下の通気部材支持部材１４０に形成された流路１４４を通り、空気流通孔１１５を通過し、屋内Ｎへ案内されて通気を行う。
【００２４】
本実施の形態に係る軒先構造２００によれば、上述した軒先構造１００と同様の効果を得られるとともに、野地板１１０側に吹き付ける降雨が水切り部２２４に当たることで、更なる防水効果を付加することが可能となる。
【００２５】
図５は、本発明の第３の実施の形態に係る軒先構造３００の斜視図、図６は同実施の形態に係る軒先構造３００の要部を拡大して示す断面図である。なお、図５及び図６において、図３と同一機能部分には同一記号を付し、詳細な説明は省略する。また、図５において、屋根部材６３０は省略している。
【００２６】
軒先構造３００は、野地板１１０と、野地板１１０の軒先側の上面に配置された水切り部材３２０と、その上端を野地板１１０に固定され、後述する通気孔３２３から空気流通孔１１５へ空気を案内する案内空間Ａを形成すると共に最下段の屋根材を支持しつつ通気部材１３０と、案内空間Ａに配置され、通気部材１３０を下面側から支持する通気部材支持部材１４０を備えている。
【００２７】
水切り部材３２０は金属製の板材を折曲して形成され、野地板１１０の軒先側の上面に沿って配置される本体部３２１と、この本体部３２１の下端側に形成され、野地板１１０の下端部１１１から突出した孔形成部３２２と、孔形成部３２２の下端側に位置する緩衝部３２６とを備え、水切り部材支持部材６２０を介して野地板１１０に固定されている。
【００２８】
体部３２１は野地板１１０の軒先側の上面に沿って配置されている。孔形成部３２２は、本体部３２１側に位置し、空気を案内空間Ａに案内するスリット状の通気孔３２３と、緩衝部３２６側に位置し、雨水の排水を行うスリット状の排水孔３２５を備える。孔形成部３２２において、通気孔３２３は本体部３２１側に位置し、排水孔３２５は緩衝部３２６側に位置する。緩衝部３２６は、孔形成部３２２の下端部に位置し、孔形成部３２２から上方に折曲されて形成されており、屋根部材６３０を流れ降りる雨水を受け止め、排水孔３２５へ案内する効果を有する。
【００２９】
このように構成された軒先構造３００では、次のように雨水の排水、及び、通気を行う。すなわち、降雨があると、雨水は屋根材６３０上を水切り部材３２０へ案内され、水切り部材３２０の緩衝部３２６に当たり、減速する。その後、水切り部材３２０の排水孔３２５を通して軒樋６１０に案内され、排水が行われる。また、野地板１１０側へ吹きつける降雨は、防雨部１３３及び孔形成部３２２に当たり、軒樋６１０に案内される。したがって、野地板１１０上に雨水が滴下することはない。
【００３０】
一方、風Ｆは水切り部材３２０の排水孔３２５を通り、通気孔３２３から野地板１１０上に案内される。その後、通気部材１３０下の通気部材支持部材１４０に形成された通気孔１４４を通り、空気流通孔１１５を通過し、屋内Ｎへ案内されて通気を行う。
【００３１】
なお、水切り部材３２０の通気孔３２３から雨水が入り込むには下から上へ強く吹き上げる条件が必要であり、通気孔３２３から野地板１１０側へ雨水が浸入することは防止できる。
【００３２】
本実施の形態に係る軒先構造３００によれば、上述した軒先構造２００と同様の効果を得られるとともに、排水孔３２５を通る風Ｆにより、更なる換気効果を付加することが可能となる。また、屋根部材６３０を流れ降りる雨水が緩衝部３２６に当たることで、雨水が軒先の下部に流れ落ちることを防止できる。
【００３３】
図７は本発明の第４の実施の形態に係る軒先構造４００の要部を拡大して示す断面図である。なお、図７において、図３と同一機能部分には同一記号を付し、詳細な説明は省略する。
【００３４】
図７に示すように、本実施の形態では、図４の軒先構造２００における水切り部材２２０に代わり、水切り部材４２０を用いている。水切り部材４２０は金属製の板材を折曲して形成され、野地板１１０の軒先側の上面に沿って配置される本体部４２１と、この本体部４２１の下端側に形成され、野地板１１０の下端部１１１から突出した通気孔形成部４２２と、通気孔形成部４２２の上下方向の延長線上に、通気部材１３０の下端が位置する部分から突出して形成される水切り部（雨水案内部）４２４とを備え、水切り部材支持部材６２０を介して野地板１１０に固定されている。本体部４２１は野地板１１０の軒先側の上面に沿って配置されている。通気孔形成部４２２は、空気を案内空間Ａに案内するスリット状の通気孔４２３を備え、水切り部４２４は、空気を通気孔４２３に案内するとともに、雨水を軒樋６１０に案内する排水孔４２５を備える。
【００３５】
このように構成された軒先構造４００では、次のように雨水の排水、及び、換気を行う。すなわち、降雨があると、雨水は屋根部材６３０上を水切り部４２４へ案内され、軒樋６１０に流れ落ち、排水が行われる。また、野地板１１０側へ吹きつける降雨は、防雨部１３３及び水切り部４２４に当たり、排水孔４２５を通して軒樋６１０に案内される。したがって、野地板１１０上に雨水が滴下することはない。
【００３６】
一方、風Ｆは水切り部材４２０の排水孔４２５を通り、通気孔４２３から野地板１１０上に案内される。その後、通気部材１３０下の通気部材支持部材１４０に形成された通気孔１４４を通り、空気流通孔１１５を通過し、屋内Ｎへ案内されて通気を行う。
【００３７】
本実施の形態に係る軒先構造４００によれば、上述した軒先構造２００と同様の効果を得られるとともに、排水孔４２５を通る風Ｆにより、更なる換気効果を付加することが可能となる。
【００３８】
図８は本発明の第５の実施の形態に係る軒先構造５００を示す断面図である。なお、図８において、図２と同一機能部分には同一記号を付し、詳細な説明は省略する。
【００３９】
本実施の形態においては、軒先構造１００における屋根部材６３０に代わり、金属材料を有する屋根部材６４０を用いている。屋根部材６４０は金属板を折曲して形成され、固定釘Ｋｃによって野地板に固定されている。
【００４０】
本実施の形態に係る軒先構造５００によれば、上述した軒先構造１００と同様に、風Ｆは通気孔１２３から野地板１１０上に案内される。その後、通気部材１３０下の通気部材支持部材１４０に形成された通気孔１４４を通り、空気流通孔１１５を通過し、屋内Ｎへ案内されて通気を行う。雨水は屋根材６４０上を軒樋６１０に案内される。また、本実施の形態における屋根部材６４０は、上述した他の実施例にも適用でき、それぞれの軒先構造と同様の効果を得ることができる。
【００４１】
上述したように本発明によれば、軒先構造を、空気流通孔を有する野地板と、通気部材と、通気孔を有する水切り部材を用いることで、雨水の野地板側への浸入を防ぎ、かつ、屋外から屋内への通気をさせることができる。
【００４２】
なお、本発明は上記実施の形態に限定されるものではない。例えば、通気部材に十分な剛性を付加し、通気部材支持部材を用いない場合にも同様に適用できる。また、通気部材支持部材が樹脂材料を有する場合や、流路の断面形状が三角形を有する場合にも適用できるのは勿論である。この他、本発明の要旨を逸脱しない範囲で種々変形実施可能であるのは勿論である。以下に、本願出願の当初の特許請求の範囲に記載された発明を付記する。
［１］その下端部から所定寸法だけ離間した位置に厚さ方向に貫通する空気流通孔が形成された野地板と、上記野地板上に配置される屋根部材と、上記野地板の軒先側で、かつ、上面側にその上端部を重ねて配置され、その下端部が上記野地板の下端部から突出する突出部を形成し、上記屋根部材から滴下する雨水を上記野地板の軒先側に案内する水切り部材と、板状に形成され、上記野地板と上記屋根部材の間に位置し、その上端部が上記野地板の上面側であって上記空気流通孔の上側に固定され、その下端部が上記突出部の上方に位置し、上記下端部から上記空気流通孔まで空気を案内する案内空間を形成するための山部を有する通気部材とを備え、上記水切り部材には、上記野地板の下端部に位置する部分と上記通気部材の下端部が位置する部分との間に通気孔が設けられていることを特徴とする軒先構造。
［２］上記水切り部材は、この上下方向の延長線上に、上記通気部材の下端部が位置する部分から突出する雨水案内部を備えていることを特徴とする［１］に記載の軒先構造。
［３］上記水切り部材は、この上下方向の延長線上に、上記通気部材の下端部が位置する部分から突出する雨水案内部を備え、上記雨水案内部には排水孔が設けられていることを特徴とする［１］に記載の軒先構造。
［４］上記水切り部材は、この上下方向の延長線上に、上記通気部材の下端部が位置する部分から突出する雨水案内部と、上記雨水案内部の下端部に位置し、上記野地板上面の上下方向の延長線上に設けられた緩衝板部とを備え、上記雨水案内部には排水孔が設けられていることを特徴とする［１］に記載の軒先構造。
［５］上記水切り部材と上記野地板との間には、上記水切り部材を支持するとともに、上記水切り部材の位置決めを行う水切り部材支持部材が水平方向に沿って間欠的に配置されていることを特徴とする［１］に記載の軒先構造。
［６］上記通気部材と上記野地板との間には防水シートが配置され、上記防水シートの下端部は、上記通気部材と上記水切り部材との間に配置され、上記空気流通孔に対応する位置に通気孔を有することを特徴とする［１］に記載の軒先構造。
［７］上記案内空間には、上記通気部材を下面側から支持し、上記水切り部材の通気孔から上記空気流通孔へ空気を案内する通気孔を有する通気部材支持部材を有することを特徴とする［１］に記載の軒先構造。
【符号の説明】
【００４３】
１００，２００，３００，４００，５００…軒先構造、１１０…野地板、１１５…空気流通孔、１２０，２２０，３２０，４２０…水切り部材、１２３，２２３，３２３，４２３…通気孔、１３０…通気部材、１４０…通気部材支持部材、６１０…軒樋、６２０…水切り部材支持部材、６３０，６４０…屋根部材。
【図１】
0005979630.tif 000002
【図２】
0005979630.tif 000003
【図３】
0005979630.tif 000004
【図４】
0005979630.tif 000005
【図５】
0005979630.tif 000006
【図６】
0005979630.tif 000007
【図７】
0005979630.tif 000008
【図８】
0005979630.tif 000009